(57)【要約】【課題】高い防水機能を維持しつつ、簡単に製造することができる携帯電子機器を提供することを目的とする。【解決手段】携帯電子機器であって、第１ケースと、第１ケースと連結される第２ケースと、第１ケースと第２ケースとの連結部に配置される防水パッキンと、を有し、防水パッキンは、第１ケースと接していない状態で、外周側の面と、第１ケースと対面する面とは反対側の面と、が第２ケースに接着していることで上記課題を解決する。【選択図】図５
2012175056.tif 000002
【特許請求の範囲】
【請求項１】
第１ケースと、
前記第１ケースと連結される第２ケースと、
前記第１ケースと前記第２ケースとの連結部に配置される防水パッキンと、を有し、
前記防水パッキンは、前記第１ケースと接していない状態で、外周側の面と、前記第１ケースと対面する面とは反対側の面と、が前記第２ケースに接着していることを特徴とする携帯電子機器。
【請求項２】
前記防水パッキンは、前記第２ケースと一体成形されていることを特徴とする請求項１に記載の携帯電子機器。
【請求項３】
前記防水パッキンは、断面の形状が、前記第１ケースと接触していない状態において、前記第１ケース側に突出した突起部を有する形状であることを特徴とする請求項１または２に記載の携帯電子機器。
【請求項４】
前記防水パッキンは、前記断面における前記突起部の頂点の位置が、中央よりも前記外周面側にあることを特徴とする請求項３に記載の携帯電子機器。
【請求項５】
前記突起部は、前記頂点が平坦面であることを特徴とする請求項３または４に記載の携帯電子機器。
【請求項６】
前記平坦面は、０．２ｍｍ以上であることを特徴とする請求項５に記載の携帯電子機器。
【請求項７】
前記防水パッキンは、断面の形状が、前記第１ケースと接触していない状態において、内周面の、前記第１ケースと対面する面とは反対側の面側の部分にアンダーカットを有する形状であることを特徴とする請求項１から６のいずれか一項に記載の携帯電子機器。
【請求項８】
前記第２ケースは、前記防水パッキンの前記第１ケースと対面する面とは反対側の面に溝部を有し、
前記防水パッキンは、少なくとも一部が前記溝部に埋入されていることを特徴とする請求項１から７のいずれか一項に記載の携帯電子機器。
【請求項９】
前記第２ケースは、前記溝部の形状が、前記溝部の外周側の外側表面に沿った形状であることを特徴とする請求項８に記載の携帯電子機器。
【請求項１０】
前記第２ケースは、前記防水パッキンの外周面側と接触する部分に、前記第２ケースの厚み方向に直交する平坦面を有することを特徴とする請求項１から９のいずれか一項に記載の携帯電子機器。
【発明の詳細な説明】
【技術分野】
【０００１】
本発明は、防水機能を備える携帯電子機器に関する。
【背景技術】
【０００２】
携帯電話機、ＰＨＳ、携帯音楽プレーヤー等の携帯電子機器の中には、防水機能を備える携帯電子機器がある。防水機能を備える携帯電子機器は、フロントケースとリアケース等の２つ以上のケースを連結して電子機器を内蔵する筐体とする場合、ケースとケースとの連結部に防水パッキン（パッキング）を配置し、ケースとケースとの間を水密構造とする（特許文献１参照）。
【先行技術文献】
【特許文献】
【０００３】
【特許文献１】特開平１０−２８４８５５号公報
【発明の概要】
【発明が解決しようとする課題】
【０００４】
ここで、特許文献１に記載の防水装置は、ケースの一方に溝を形成し、その溝に防水パッキンを挿入した構造である。しかしながら、防水パッキンは基本的にケースの外縁部の全周に設けるため、溝に防水パッキンを挿入する構造では、細長い溝に防水パッキンを埋め込む作業が必要となり製造時の手間となる。また、防水パッキンを溝に埋め込む際にねじれが生じると水密構造にならない場合がある。
【０００５】
本発明は、上記の事情に鑑みてなされたものであって、高い防水機能を維持しつつ、簡単に製造することができる携帯電子機器を提供することを目的とする。
【課題を解決するための手段】
【０００６】
上述した課題を解決し、目的を達成するために、本発明に係る携帯電子機器は、第１ケースと、前記第１ケースと連結される第２ケースと、前記第１ケースと前記第２ケースとの連結部に配置される防水パッキンと、を有し、前記防水パッキンは、前記第１ケースと接していない状態で、外周側の面と、前記第１ケースと対面する面とは反対側の面と、が前記第２ケースに接着していることを特徴とする。
【０００７】
ここで、前記防水パッキンは、前記第２ケースと一体成形されていることが好ましい。
【０００８】
また、前記防水パッキンは、断面の形状が、前記第１ケースと接触していない状態において、前記第１ケース側に突出した突起部を有する形状であることが好ましい。
【０００９】
また、前記防水パッキンは、前記断面における前記突起部の頂点の位置が、中央よりも前記外周面側にあることが好ましい。
【００１０】
また、前記突起部は、前記頂点が平坦面であることが好ましい。
【００１１】
また、前記平坦面は、０．２ｍｍ以上であることが好ましい。
【００１２】
また、前記防水パッキンは、断面の形状が、前記第１ケースと接触していない状態において、内周面の、前記第１ケースと対面する面とは反対側の面側の部分にアンダーカットを有する形状であることが好ましい。
【００１３】
また、前記第２ケースは、前記防水パッキンの前記第１ケースと対面する面とは反対側の面に溝部を有し、前記防水パッキンは、少なくとも一部が前記溝部に埋入されていることが好ましい。
【００１４】
また、前記第２ケースは、前記溝部の形状が、前記溝部の外周側の外側表面に沿った形状であることが好ましい。
【００１５】
また、前記第２ケースは、前記防水パッキンの外周面側と接触する部分に、前記第２ケースの厚み方向に直交する平坦面を有することが好ましい。
【発明の効果】
【００１６】
本発明に係る携帯電子機器は、高い防水機能を確保でき、簡単に製造することができる、という効果を奏する。
【図面の簡単な説明】
【００１７】
【図１】図１は、携帯電子機器の概略構成を示す正面図である。
【図２】図２は、図１に示す携帯電子機器の概略構成を示す側面図である。
【図３】図３は、図１に示す第２筐体の分解斜視図である。
【図４】図４は、第２筐体のリアケースの概略構成を示す正面図である。
【図５】図５は、図４のＡ−Ａ線断面図である。
【図６】図６は、第２筐体のフロントケースの一部の概略構成を示す断面図である。
【図７】図７は、第２筐体のフロントケースの他の例の一部の概略構成を示す断面図である。
【図８】図８は、防水パッキンとフロントケースとの関係を示す説明図である。
【図９】図９は、防水パッキンの他の例の概略構成を示す断面図である。
【図１０】図１０は、防水パッキンの他の例の概略構成を示す断面図である。
【図１１】図１１は、防水パッキンの他の例の概略構成を示す断面図である。
【図１２】図１２は、防水パッキンの他の例の概略構成を示す断面図である。
【図１３】図１３は、防水パッキンの他の例の概略構成を示す断面図である。
【図１４】図１４は、防水パッキンの他の例の概略構成を示す断面図である。
【図１５】図１５は、防水パッキンの変形を説明するための説明図である。
【図１６】図１６は、防水パッキンの変形を説明するための説明図である。
【図１７】図１７は、防水パッキンの変形を説明するための説明図である。
【図１８】図１８は、防水パッキンの変形を説明するための説明図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話機を取り上げるが、携帯電子機器は携帯電話機に限定されるものではなく、例えば、ＰＨＳ（Personal  Handy-phone  System）、ＰＤＡ、ポータブルナビゲーション装置、ノートパソコン、ゲーム機等であってもよい。
【００１９】
［実施形態］
図１は、携帯電子機器の概略構成を示す正面図であり、図２は、図１に示す携帯電子機器の概略構成を示す側面図である。本実施形態の携帯電子機器１は、防水機能を有する携帯電話機である。携帯電子機器１は、図１及び図２に示すように、筐体２が第１筐体２１と第２筐体２２とで開閉可能に構成された、折り畳み式の携帯電話機である。筐体２は、第１筐体２１の一方側の端部（基端部）と第２筐体２２の一方側の端部（基端部）とがヒンジ部４を介し連結される。筐体２は、図２中に矢印Ｒで示すように、ヒンジ部４の回転軸ＣＬを中心に、第２筐体２２に対し第１筐体２１を開閉することで、閉じ合わせ可能（折り畳み可能）に構成される。
【００２０】
なお、筐体２は、第１筐体２１と第２筐体２２とを閉じ合わせたときに互いに対向する面が、第１筐体２１および第２筐体２２の正面であり、正面の反対側の面が、第１筐体２１および第２筐体２２の背面である。筐体２は、ヒンジ部４の回転軸ＣＬの軸方向が第１筐体２１、第２筐体２２の短手方向と同方向となっている。そして、短手方向に直交し、第１筐体２１、第２筐体２２の基端部から先端部に至る方向が長手方向であり、第１筐体２１、第２筐体２２の正面から背面に至る方向が厚み方向である。また、第１筐体２１は、正面側に配置されたフロントケース２１Ａと背面側に配置されたリアケース２１Ｂとを有する。第１筐体２１は、フロントケース２１Ａとリアケース２１Ｂとが互いに対向して係合し、その隙間が水密構造となっている。これにより、第１筐体２１は、フロントケース２１Ａとリアケース２１Ｂとの間に形成される空間に外部から水が入ることを抑制でき、当該空間を防水空間とすることができる。なお、フロントケース２１Ａとリアケース２１Ｂとの隙間を水密構造にする構造としては、隙間を接着剤で封止したり、両ケースの間にパッキン等のシール部材を配置したり、両面テープで両ケースを接着したりする構造がある。
【００２１】
第２筐体２２は、正面側に配置されたフロントケース２２Ａと背面側に配置されたリアケース２２Ｂとを有する。第２筐体２２は、フロントケース２２Ａとリアケース２２Ｂとが互いに対向して係合し、その隙間が水密構造となっている。第２筐体２２の水密構造（防水構造）については後述する。
【００２２】
携帯電子機器１は、画像を表示する表示装置５、操作を受け付ける操作部６等を備え、これらが第１筐体２１または第２筐体２２にそれぞれ搭載される。ここでは、携帯電子機器１は、表示装置５が第１筐体２１の正面側（フロントケース２１Ａ）に搭載され、操作部６が第２筐体２２の正面側（フロントケース２２Ａ）に搭載される。また、携帯電子機器１の筐体２には、これら以外にも携帯電話機として必要な各種機構（マイク、レシーバ、スピーカ、制御基板、アンテナ）が設けられている。なお、携帯電子機器１を構成する各部は、基本的には第１筐体２１または第２筐体２２の内部に内蔵され、そのうちの幾つかは、少なくとも一部が筐体２の外部に露出する露出部品である。
【００２３】
表示装置５は、待ち受け画像、メニュー画像等の種々の画像を表示するものであり、例えば、液晶ディスプレイ（ＬＣＤ、Liquid  Crystal  Display）や、有機ＥＬ（Organic  Electro−Luminescence）パネル等を有する表示パネルである。なお、この表示装置５の構成については、後でより詳細に説明する。
【００２４】
操作部６は、第２筐体２２に内蔵され、フロントケース２２Ａから各種操作キーが露出する露出部品である。操作キーは、例えば、通話相手の電話番号やメール作成時等に文字を入力するための操作キー、表示装置５に表示されるメニューの選択及び決定や画面のスクロール等を容易に実行するための方向及び決定キー等を含む。
【００２５】
次に、第２筐体２２の構成について説明する。図３は、図１に示す第２筐体の分解斜視図である。第２筐体２２は、上述したようにフロントケース２２Ａとリアケース２２Ｂとを有する。このフロントケース２２Ａと、リアケース２２Ｂとの間には、キー基板２４とシールドケース２６とメイン基板２８とホルダ部３０とがフロントケース２２Ａ側からこの順で積層して配置されている。キー基板２４は、フロントケース２２Ａに配置された操作部６への入力を検出する検出素子が配置された基板である。シールドケース２６は、第２筐体２２の外部からメイン基板２８に向かう電磁波を遮蔽する部材である。メイン基板２８は、携帯電子機器１の各種制御機能を実現するための制御回路、記憶装置等が搭載されている基板である。ホルダ部３０は、メイン基板２８とリアケース２２Ｂとを連結する部材である。
【００２６】
第２筐体２２は、フロントケース２２Ａとリアケース２２Ｂとの連結部分を水密構造とし、内部に防水空間を形成することで、キー基板２４とシールドケース２６とメイン基板２８とホルダ部３０とが水に濡れることを抑制する。
【００２７】
また、リアケース２２Ｂには開口部が形成されており、この開口部には、バッテリ３２が配置される。第２筐体２２は、バッテリ３２を配置した領域を覆うカバー部がリアケース２２Ｂに対して着脱可能な状態で装着される。またリアケース２２Ｂとカバー部との連結部分も水密構造である。
【００２８】
次に、図４から図８を用いて、フロントケース２２Ａとリアケース２２Ｂとの連結部分を水密構造とする防水構造について説明する。ここで、図４は、第２筐体のリアケースの概略構成を示す正面図である。図５は、図４のＡ−Ａ線断面図である。図６は、第２筐体のフロントケースの一部の概略構成を示す断面図である。図７は、第２筐体のフロントケースの他の例の一部の概略構成を示す断面図である。図８は、防水パッキンとフロントケースとの関係を示す説明図である。
【００２９】
防水パッキン４０は、リアケース２２Ｂのフロントケース２２Ａと対面する面（フロントケース２２Ａ側の面）に配置されている。防水パッキン４０は、防水空間の外周を覆うようにリアケース２２Ｂの外周に沿って全周に配置されている。防水パッキン４０は、フロントケース２２Ａとも接触し、フロントケース２２Ａとリアケース２２Ｂとの間の隙間を埋め、フロントケース２２Ａとリアケース２２Ｂとの連結部分を水密構造とする。
【００３０】
防水パッキン４０は、図５に示すように、無負荷状態（フロントケース２２Ａとリアケース２２Ｂとが離れている状態または防水パッキン４０とフロントケース２２Ａとが接触していない状態）において、断面形状が基部４２と突起部４４とで構成されている。なお、本実施形態では部分によって分けたが、実際の基部４２と突起部４４とは、１つの材料で成形されており境界等はない。基部４２は、断面が略長方形（正確には、内周側の辺と外周側の辺が平行で内周側の辺が低い台形）となる形状である。なお、以下では、基部４２の外周側の面を第１面５０とし、リアケース２２Ｂ側の面（フロントケース２２Ａと対面する側とは反対側の面）を第２面５２とする。
【００３１】
突起部４４は、基部４２の第２面５２とは反対側の面（フロントケース２２Ａ側の面）に連結しており、第２面５２とは反対側（第２筐体２２の厚み方向）に突出した突起である。また、防水パッキン４０は、第２面５２とは反対側の面の第１面５０側の部分が平坦面４６となる。平坦面４６は、第２面５２と平行な面である。このように、防水パッキン４０は、断面が長方形となる基部４２の第２面５２とは反対側の面の第１面５０とは離れている側に突起部４４が形成されている形状となる。
【００３２】
防水パッキン４０は、無負荷状態において、第１面５０と第２面５２が、リアケース２２Ｂに接着している。なお、第１面５０とリアケース２２Ｂとを接着させる方法、第２面５２とリアケース２２Ｂとを接着させる方法は特に限定されないが、防水パッキン４０をリアケース２２Ｂと一体成型することで、両者を接着させることが好ましい。なお、製造に手間がかかり、接着性が低下するが接着剤を用いて両者を接着させてもよい。また、防水パッキン４０は、第１面５０と第２面５２の全面をリアケース２２Ｂに接着させることが好ましい。これにより、防水性能をより高くすることができる。
【００３３】
ここで、リアケース２２Ｂは、防水パッキン４０の外周側の面に平坦面５４が形成されている。平坦面５４は、第２筐体２２（リアケース２２Ｂ）の厚み方向に直交する面であり、防水パッキン４０の平坦面４６と面一となる面である。
【００３４】
防水パッキン４０は、圧力が加えられることで変形（好ましくは弾性変形）する材料で製造される。ここで、防水パッキン４０は、硬度を５以上６０以下とすることが好ましく、１０以上３５以下とすることがより好ましい。これにより、防水性能を高く維持することができる。ここで、硬度は、ＪＩＳ  Ｋ  ６２５３  タイプＡで測定する。また、防水パッキン４０は、リアケース２２Ｂよりも融点が低い材料で作成することが好ましい。これにより、防水パッキン４０とリアケース２２Ｂとを一体成形しやすくすることができる。防水パッキン４０としては、具体的には、液状シリコン等のＥＰＤＭ（エチレン−プロピレン−ジエンゴム）やシリコーン樹脂を用いることができる。また、防水パッキン４０は、リアケース２２Ｂを構成する材料に対して接着性が高い材料を用いることが好ましい。例えば、リアケース２２Ｂをガラス繊維入りナイロン樹脂で作製する場合、防水パッキン４０は、液状シリコンで作製することが好ましい。これにより、防水パッキン４０を好適にリアケース２２Ｂに接着させることができる。
【００３５】
また、本実施形態のようにリアケース２２Ｂと防水パッキン４０とは、以下の方法で製造することができる。まず、射出成型等によりリアケース２２Ｂを作製する。その後、防水パッキン４０を形成するための金型に作製したリアケース２２Ｂを設置し、金型とリアケース２２Ｂとで形成される空間（防水パッキン４０を配置する領域）に、材料を流し込む。その後、当該空間に流し込んだ材料を硬化させることでリアケース２２Ｂの所定位置に防水パッキン４０を成形することができる。また、このように一体成形することで、防水パッキン４０の第１面５０と第２面５２とをリアケース２２Ｂに接着させることができる。
【００３６】
次に、フロントケース２２Ａは、図６のように防水パッキン４０と接触する面が平坦面２３となっている。フロントケース２２Ａは、防水パッキン４０が配置されている領域に対面する部分、つまり外周の全周が平坦面２３となっている。また、フロントケース２２Ａの形状は平坦面２３に限定されない。図７に示すように、フロントケース３６の防水パッキン４０と接触する面にリアケース２２Ｂ側に突出した突起部３７を設けてもよい。なお、突起部３７は、曲面であり、断面が半円となる形状である。このように突起部３７を曲面とすることで防水パッキン４０の一部に負荷が集中することを抑制できる。
【００３７】
このように、フロントケース２２Ａとリアケース２２Ｂとの連結部分には、防水パッキン４０が配置されている。これにより、第２筐体２２は、フロントケース２２Ａとリアケース２２Ｂとを重ね合わせると、図８に示すように防水パッキン４０の突起部４４がフロントケース２２Ａの平坦面２３により押しつぶされて変形する。また、フロントケース２２Ａとリアケース２２Ｂとの距離を短くすることで、突起部４４の変形量が大きくなり、突起部４４と平坦面２３との接触面積も大きくなる。また、フロントケース２２Ａとリアケース２２Ｂとの距離をフロントケース２２Ａ´の位置まで近づけた場合、防水パッキン４０の凸部の表面４８がフロントケース２２Ａ´に押しつぶされ、凸部の一部が平坦面２３よりも内周側にはみ出したはみ出し部４９となることもある。
【００３８】
第２筐体２２は、フロントケース２２Ａとリアケース２２Ｂとの距離を所定の短い距離とし、平坦面２３と突起部４４との接触面積を一定以上の面積とすることで、平坦面２３と突起部４４との間が水密構造となる。また、リアケース２２Ｂと防水パッキン４０とは一体で形成され、第１面５０と第２面５２がリアケース２２Ｂと接触しているため、水密構造となる。このように、リアケース２２Ｂと防水パッキン４０との間を水密構造とし、フロントケース２２Ａと防水パッキン４０との間を水密構造とすることで、フロントケース２２Ａとリアケース２２Ｂとの連結部を水密構造とすることができる。
【００３９】
携帯電子機器１は、防水パッキン４０の第１面５０と第２面５２とをリアケース２２Ｂに接着することで、防水パッキン４０をリアケース２２Ｂにより確実に固定することができる。これにより、防水パッキン４０がリアケース２２Ｂに対して位置ずれすることを抑制することができる。また、防水パッキン４０の第１面５０と第２面５２とをリアケース２２Ｂに接着することで、第１面５０の反対側の面を支持しなくても所定位置に固定することができる。また、第１面５０および第２面５２で荷重を分散して支持することができるため、突起部４４に折れや、倒れが生じることを抑制することができる。また、図８に示すように防水パッキン４０の一部がはみ出し部４９となっても、突起部４４に折れが生じることや、倒れが生じることを抑制することができる。
【００４０】
また、防水パッキン４０をリアケース２２Ｂと一体とすることで、つまり、防水パッキン４０をリアケース２２Ｂに接着させることで、組立性をより向上させることができる。具体的には、防水部材をリアケース２２Ｂに対してはめ込む等の工程が必要なくなる。また、本実施形態のように２面を接着させる構造とすることで一体成形で作成しても防水機能を高くすることができる。また、製造時に溝に差し込む必要もないため、防水パッキン４０にねじれが生じることも抑制することができる。
【００４１】
なお、上記実施形態では、防水パッキン４０をリアケース２２Ｂに接着させたが、接着させるケースはこれに限定されない。防水パッキン４０をフロントケース２２Ａに接着した構成としてもよい。なお、防水パッキン４０は、筐体の分解時に最初に外れる側のケース、または、メイン基板が固定されていない側のケースに一体で設けることが好ましい。これにより、製造時に防水パッキン４０に生じる負荷をより少なくすることができ、防水パッキン４０の寿命をより長くすることができる。
【００４２】
また、上記実施形態のように、リアケース２２Ｂ（防水パッキン４０を接着させるケース）の防水パッキン４０との接触部分に隣接した位置に平坦面５４を設けることで、突起部４４の高さをより簡単に計測することができる。具体的には、突起部４４の近傍にある平坦面５４を基準として突起部４４の高さを判定することができるため、計測の手間を少なくすることができる。また、近傍で計測することができるため計測精度を高くすることができる。高い計測精度で突起部４４の高さを計測できることで製造時の突起部４４の形状をより均一にすることができる。また、検査をより高い精度で実行することができ、不良品をより正確に排除することも可能となる。なお、平坦面５４は、断面における長さを少なくとも０．２ｍｍ以上とすることが好ましい。これにより、計測精度をより高くすることができる。
【００４３】
ここで、防水パッキンの形状（断面形状）は、図５に示す形状に限定されない。以下、図９から図１４を用いて防水パッキンの各種形状、好ましい形状について説明する。なお、防水パッキンは、第１面と第２面がケースに接着されていればよく種々の形状とすることができる。
【００４４】
図９は、防水パッキンの他の例の概略構成を示す断面図である。図９に示す防水パッキン７０は、無負荷状態において、断面形状が基部７２と突起部７４とで構成されている。基部７２は、断面が略長方形（正確には、内周側の辺と外周側の辺が平行で内周側の辺が低い台形）となる形状である。また、基部７２も第１面５０と第２面５２とがリアケース２２Ｂに接着されている。
【００４５】
突起部７４は、基部７２の第２面５２とは反対側の面（フロントケース２２Ａ側の面）に連結しており、第２面５２とは反対側（第２筐体２２の厚み方向）に突出した突起である。また、突起部７４は、突起の頂点７７が、中央よりも外周側にある。つまり、突起部７４は、断面の幅方向（高さ方向に直交する方向）における頂点７７の位置が中央（第２面５２の中点）よりも矢印７９の距離分外周側にオフセットした位置である。また、防水パッキン７０は、第２面５２とは反対側の面の第１面５０側の部分が平坦面７６となる。平坦面７６は、第２面５２と平行な面である。
【００４６】
このように、防水パッキン７０は、突起部７４の頂点７７が外周側に一定距離オフセットした形状である。このように、頂点７７の位置を外周側にすることで、フロントケース２２Ａとの接触時に、突起部７４の一部がフロントケース２２Ａとの接触面よりも内周側にはみ出すことを抑制できる。また、断面の幅方向における突起部７４のフロントケース２２Ａとの接触開始位置をより外周側とすることができるため、突起部７４とフロントケース２２Ａとの接触面積をより大きくすることができる。これにより、同様の防水性能を維持しつつ、防水パッキン７０の幅（断面における第２面５２の方向の長さ）をより短くすることができる。
【００４７】
図１０は、防水パッキンの他の例の概略構成を示す断面図である。図１０に示す防水パッキン８０は、無負荷状態において、断面形状が基部８２と突起部８４とで構成されている。なお、基部８２と突起部８４とは、第１面５０の反対側の面（内周側の面）がフロントケース２２Ａ側に向かうに従って第１面５０に近づく曲線となっている。また、基部８２も第１面５０と第２面５２とがリアケース２２Ｂに接着されている。
【００４８】
突起部８４は、基部８２の第２面５２とは反対側の面（フロントケース２２Ａ側の面）に連結しており、第２面５２とは反対側（第２筐体２２の厚み方向）に突出した突起である。また、突起部８４は、突起の頂点が、平坦面８７となっている。また、平坦面８７の中点は、防水パッキン８０の中央よりも外周側にある。つまり、突起部８４は、断面の幅方向（高さ方向に直交する方向）における平坦面８７の中点８８が中央（第２面５２の中点）よりも矢印８９の距離分外周側にオフセットした位置である。また、防水パッキン８０は、第２面５２とは反対側の面の第１面５０側の部分が平坦面７６となる。平坦面７６は、第２面５２と平行な面である。
【００４９】
防水パッキン８０は、突起部８４の頂点を平坦面８７とすることで、少ない変形でもフロントケース２２Ａとの接触面積を大きくすることができる。また、突起部８４の頂点を平坦面８７とすることで、突起部８４の高さをより正確に計測することができる。具体的には、平坦面８７を基準として突起部８４の高さを計測することで、計測位置に誤差が生じた場合も同じ高さの部分を計測することができる。これにより、突起部８４の高さが最も高い部分をより高い確率で計測することができ、実際の高さと計測した高さとの差をより小さくすることができ、計測精度を高くすることができる。高い計測精度で突起部８４の高さを計測できることで製造時の突起部８４の形状をより均一にすることができる。また、検査をより高い精度で実行することができ、不良品をより正確に排除することも可能となる。なお、平坦面８７は、断面における長さを少なくとも０．２ｍｍ以上とすることが好ましい。これにより、計測精度をより高くすることができる。
【００５０】
また、突起部８４の頂点を平坦面８７とした場合も平坦面８７の中点を、外周側にオフセットすることで、上述した防水パッキン７０と同様の効果をえることができる。
【００５１】
防水パッキンの形状は上記形状にも限定されない。ここで、図１１および図１２は、それぞれ防水パッキンの他の例の概略構成を示す断面図である。図１１に示すように防水パッキン９０は、第１面５０の反対側の面（内周側の面）９２を矢印方向に向かって厚くなる形状に変更することで、防水パッキン９０のパッキン圧を高くすることができる。また、図１２に示すように防水パッキン９０は、第１面５０の反対側の面（内周側の面）のうち、第２面５２の側の部分９４を矢印方向に向かって薄くする形状に変更することで、つまり第１面５０の反対側の面にアンダーカットを形成することで、防水パッキン９０のパッキン圧を低くすることができる。このように防水パッキン９０は、アンダーカットの形状や、ふくらみの形状を種々の形状とすることで、目的に応じた種々の性能の防水パッキンとすることができる。また、防水パッキン９０は、突起部と平坦面との間に凹部を形成しても、パッキン圧を低くすることができる。なお、図１１および図１２では、防水パッキン９０を例として説明したが他の形状でも同様である。
【００５２】
次に、図１３は、防水パッキンの他の例の概略構成を示す断面図である。図１３に示す防水パッキン１００は、地下部１０９がリアケース１２０に形成された溝１２２に配置されている例である。まず、図１３に示すリアケース１２０は、防水パッキン１００を配置する領域に溝１２２が形成されている。溝１２２は、防水パッキン１００と同じ形状である。つまり、溝１２２は、空間に防水パッキン１００の地下部１０９が埋まっている。
【００５３】
防水パッキン１００は、無負荷状態において、断面形状が基部１０２と突起部１０４と地下部１０９とで構成されている。なお、本実施形態では部分によって分けたが、実際の基部１０２と突起部１０４と地下部１０９とは、１つの材料で成形されており境界等はない。基部１０２は、基本的に基部７２と同様の構成であり、第１面５０がリアケース１２０に接着されている。また、基部１０２は、第２面に相当する面が地下部１０９と連結されている。
【００５４】
突起部１０４は、突起部７４と同様の構成であり、基部１０２のフロントケース２２Ａ側の面に連結しており、フロントケース２２Ａ側（第２筐体２２の厚み方向）に突出した突起である。防水パッキン１００は、フロントケース２２Ａ側の面の第１面５０側の部分が平坦面１０６となる。平坦面１０６は、高さ方向に直交する面と平行な面である。
【００５５】
地下部１０９は、溝１２２内に配置されており、溝１２２と対面していない部分は基部１０２と連結している。つまり、地下部１０９は、溝１２２と基部１０２とで覆われている。地下部１０９は、溝１２２と対面している領域の外形が溝１２２と同一形状であり、溝１２２に接着している。なお本実施形態では、断面における溝１２２の開口の形状および地下部１０９の形状は、長方形である。このように、地下部１０９は、外周側の面とリアケース１２０側の面（フロントケース２２Ａと対面する側とは反対側の面）に加え、内周側の面もリアケース１２０の溝１２２と接着している。つまり、地下部１０９は、フロントケース２２Ａ側の面以外は、リアケース１２０に接着している部分である。
【００５６】
防水パッキン１００は、地下部１０９を備える構成としても、外周側の面とリアケース１２０側の面をリアケース１２０に接着させることができるため、上記と同様の効果を得ることができる。また、地下部１０９を備えることで、リアケース１２０側の面におけるリアケース１２０との接着力をより大きくすることができ、防水パッキン１００に倒れや折れが生じることをより確実に抑制することができる。また防水パッキン１００をリアケース１２０からはがれ難くすることができる。つまり、リアケース１２０の防水パッキン１００のフロントケース２２Ａ側とは反対側の面に溝１２２を形成し、防水パッキン１００の少なくとも一部を溝１２２に埋入させる構造とすることで、上記効果を得ることができる。
【００５７】
なお、地下部１０９の形状は種々の形状とすることができる。また、地下部１０９は、外周が溝１２２に覆われており基本的に変形しないため、防水パッキン１００のパッキン圧等をほとんど変化させずに種々の形状にすることができる。
【００５８】
図１４は、防水パッキンの他の例の概略構成を示す断面図である。図１４に示す防水パッキン１３０は、地下部１３９がリアケース１４０に形成された溝１４２に配置されている例である。まず、図１４に示すリアケース１４０は、防水パッキン１３０を配置する領域に溝１４２が形成されている。溝１４２は、防水パッキン１３０の地下部１３９と同じ形状である。つまり、溝１４２は、空間に防水パッキン１３０が埋まっている。また、リアケース１４０は、溝１４２と対面する外側表面１４４が溝１４２と同様の形状である。つまり、リアケース１４０は、溝１４２と外側表面１４４との厚みが略一定となる形状である。
【００５９】
防水パッキン１３０は、無負荷状態において、断面形状が基部１３２と突起部１３４と地下部１３９とで構成されている。なお防水パッキン１３０は、地下部１３９の形状を除いての構成は、防水パッキン１００と同様の構成である。防水パッキン１３０は、平坦面１０６と同様の構成の平坦面１３６も備える。
【００６０】
防水パッキン１３０の地下部１３９と、溝１４２と、外側表面１４４とは、基本的に同様の形状であり、断面において、フロントケースから離れるに従って幅が徐々に短くなる形状である。また、内周面側の辺よりも外周面側の辺の方が高さ方向に対する傾斜角が大きくなる形状である。また、フロントケースから最も離れている部分が曲面となった形状である。
【００６１】
このように防水パッキン１３０及びリアケース１４０は、溝部１４２と外側表面１４４との距離が略一定となるように、つまりリアケース１４０の厚みが略一定となる形状とすることで、ケースのそりを抑制することができる。リアケース１４０のそりを抑制することで、防水パッキン１３０とフロントケースとの距離が位置によって変化することを抑制できる。これにより、筐体の防水性能をより高くすることができる。
【００６２】
次に、図１５から図１８を用いて、防水パッキンの形状毎に変形とパッキン圧との関係をシミュレーションした結果を示す。図１５から図１８は、それぞれ防水パッキンの変形を説明するための説明図である。
【００６３】
図１５に示す防水パッキン２００は、突起部の平坦面を大きく設けた形状である。また、防水パッキン２００と接触するフロントケースとして、突起部を備えるフロントケース３６を用いた。この場合は、フロントケース３６と防水パッキン２００とを接触させると図１５中の矢印の先の図に示すように、防水パッキン２０２は、フロントケース３６の突起部と対面する領域に高いパッキン圧が生じる。なお、防水パッキン２０２で色が白くなっている部分が高いパッキン圧が発生している部分である。以下、他の図でも同様である。この防水パッキン２００とフロントケース３６との組み合わせは、高いパッキン圧を発生させ、高い防水性能を実現できる。
【００６４】
図１６に示す防水パッキン２２０は、平坦面を備えない突起部を設け、かつ外周側にリアケース側に窪んだ凹部を設けた形状である。また、防水パッキン２２０と接触するフロントケースとして、平坦面で構成されたフロントケース２２Ａを用いた。この場合は、フロントケース２２Ａと防水パッキン２２０とを接触させると図１６中の矢印の先の図に示すように、防水パッキン２２２は、先端が外周側に移動するように変形する。また防水パッキン２２２は、パッキン圧が低くなる。この防水パッキン２２０とフロントケース２２Ａとの組み合わせは、低いパッキン圧を発生させ、防水性能は低くなる。
【００６５】
図１７に示す防水パッキン２４０は、平坦面を備えない突起部を設け、かつ内周側にアンダーカットを設けた形状である。また、防水パッキン２４０と接触するフロントケースとして、平坦面で構成されたフロントケース２２Ａを用いた。この場合は、フロントケース２２Ａと防水パッキン２４０とを接触させると図１７中の矢印の先の図に示すように、防水パッキン２４２は、先端が内周側に移動するように変形する。また防水パッキン２４２は、パッキン圧が低くなる。この防水パッキン２４０とフロントケース２２Ａとの組み合わせは、低いパッキン圧となるため、防水性能は一定程度となる。
【００６６】
図１８に示す防水パッキン２６０は、平坦面を備えない突起部を設け、アンダーカットも外周側の凹部も設けていない形状である。また、防水パッキン２６０と接触するフロントケースとして、平坦面で構成されたフロントケース２２Ａを用いた。この場合は、フロントケース２２Ａと防水パッキン２６０とを接触させると図１８中の矢印の先の図に示すように、防水パッキン２６２は、先端が内周側に移動するように変形する。また防水パッキン２６２は、一定程度のパッキン圧が発生する。この防水パッキン２６０とフロントケース２２Ａとの組み合わせは、図１５の組み合わせと、図１６および図１７の組み合わせとの間のパッキン圧を発生させる。
【００６７】
このようにいずれの形状の場合も防水パッキンの倒れや折れを抑制でき、防水パッキンとフロントケースとを適切に接触させることができる。なお、パッキン圧を高くすることで防水性能を高くすることが出来るが、防水パッキンで生じる反発力も大きくなるためケースを変形させる力も大きくなる。したがって、防水パッキンの形状は、使用用途や目的に応じて適宜設計することが好ましい。また、いずれの構成としても、第１面と第２面をケースに接着させることで、より高い確率で設定した防水性能を得ることができる。
【００６８】
また上記実施形態では、第２筐体２２のフロントケースとリアケースとの連結部に防水パッキンを設けたが、本実施形態の防水パッキンを用いた防水機構を設ける位置はこれに限定されない。第１筐体２１の防水機構として用いてもよいし、第２筐体２２とバッテリのカバー部との間の防水機構として用いてもよい。
【００６９】
以上の説明では、筐体は、閉じ合わせ可能な２つの筐体、すなわち、第１筐体及び第２筐体を含んで構成されるものとして説明したが、３つ以上を含んで構成されてもよいし、１つで構成されてもよい。
【００７０】
以上で説明した携帯電子機器１の筐体は、折り畳み式の構造に限定されるものではない。例えば、携帯電子機器１の筐体は、両方の筐体を閉じ合わせた状態、言い換えれば、重ね合わせた状態から一方の筐体（第１筐体）と他方の筐体（第２筐体）とを互いにスライドできるようにしたスライド式の筐体であってもよいし、重ね合わせ方向に沿う軸線を中心に、一方の筐体を回転させるようにした回転式や、２軸ヒンジを介して両方の筐体を連結したものでもよい。 
【符号の説明】
【００７１】
１  携帯電子機器
２  筐体
４  ヒンジ部
５  表示装置
６  操作部
２１  第１筐体
２２  第２筐体
２１Ａ、２２Ａ  フロントケース
２１Ｂ、２２Ｂ  リアケース
２４  キー基板
２６  シールドケース
２８  メイン基板
３０  ホルダ部
３２  バッテリ
【図１】
2012175056.tif 000003
【図２】
2012175056.tif 000004
【図３】
2012175056.tif 000005
【図４】
2012175056.tif 000006
【図５】
2012175056.tif 000007
【図６】
2012175056.tif 000008
【図７】
2012175056.tif 000009
【図８】
2012175056.tif 000010
【図９】
2012175056.tif 000011
【図１０】
2012175056.tif 000012
【図１１】
2012175056.tif 000013
【図１２】
2012175056.tif 000014
【図１３】
2012175056.tif 000015
【図１４】
2012175056.tif 000016
【図１５】
2012175056.tif 000017
【図１６】
2012175056.tif 000018
【図１７】
2012175056.tif 000019
【図１８】
2012175056.tif 000020